(57)【要約】【課題】家具転倒防止効果を有すると共に、抗菌，防カビ，消臭等の効果が得られる家具安定マットを提供する。【解決手段】家具安定マット１は、表面部材４及び裏面部材５がそれぞれニードルパンチ加工により形成された不織布により構成され、該表面部材４と裏面部材５との間に配置された中間部材６がＴダイラミネート加工により形成されたポリエチレン樹脂により構成されており、前記裏面部材５には、前記表面部材４の中途部に達する深さのスリット７が所定間隔をあけて形成されている。【選択図】図１
0003195987.tif 000002
【実用新案登録請求の範囲】
【請求項１】
表面部材及び裏面部材がそれぞれニードルパンチ加工により形成された不織布により構成され、該表面部材と裏面部材との間に配置された中間部材がＴダイラミネート加工により形成されたポリエチレン（ＰＥ）樹脂により構成されており、前記裏面部材には、前記表面部材の中途部に達する深さのスリットが所定間隔をあけて形成されている
ことを特徴とする家具安定マット。
【請求項２】
請求項１に記載の家具安定マットにおいて、
前記表面部材は、ポリエステル繊維３０wt％、低融点ポリエステル繊維２０〜４０wt％、防ダニポリエステル繊維１０〜４０wt％、指定外繊維１０〜４０wt％が含まれ、
前記裏面部材は、ポリエステル繊維５０wt％、低融点ポリエステル繊維１０〜３０wt％、防ダニポリエステル繊維２０wt％、防カビ・抗菌低融点ポリプロピレン（ＰＰ）又はポリチレン（ＰＥ）繊維１０〜４０wt％が含まれ、
さらに前記中間部材は、再生ＰＥ樹脂、炭酸カルシウム、カーボン混合物が含まれている
ことを特徴とする家具安定マット。
【考案の詳細な説明】
【技術分野】
【０００１】
本考案は、箪笥，書棚，ソファー等の家具の下に敷くことで家具の転倒防止を図ることができると共に、調湿，抗菌，防カビ，消臭効果等が得られるようにした家具安定マットに関する。
【背景技術】
【０００２】
この種の家具の下に敷くマットとして、例えば、特許文献１には、クロロスルホン化ポリエチレン系熱硬化性樹脂組成物からなる硬化層に、発泡マイクロカプセルを含有する硬化発泡層を積層し、これを支持基材に設けたものが記載されている。また、特許文献２には、機械発泡させた弾性発泡ポリマー層を支持基材に設けたものが記載されている。
【先行技術文献】
【特許文献】
【０００３】
【特許文献１】特開平８−２９０５１２号公報
【特許文献２】特開平８−３１７８５０号公報
【考案の概要】
【考案が解決しようとする課題】
【０００４】
ところで、前記特許文献１，２のマットは、何れも家具の転倒防止対策や、室内の湿度，臭い，カビといった室内環境の悪化に対する対策がとられておらず、近年、要望の強い家具伝統防止や衛生面を高める上での改善が要請されている。
【０００５】
本考案は、前記従来の状況に鑑みてなされたもので、家具転倒防止効果を有すると共に、調湿，抗菌，防カビ，消臭効果等が得られる家具安定マットを提供することを課題としている。
【課題を解決するための手段】
【０００６】
請求項１の考案は、表面部材及び裏面部材がそれぞれニードルパンチ加工により形成された不織布により構成され、該表面部材と裏面部材との間に配置された中間部材がＴダイラミネート加工により形成されたポリエチレン（ＰＥ）樹脂により構成されており、前記裏面部材には、前記表面部材に達する深さのスリットが所定間隔をあけて形成されていることを特徴とする家具安定マットである。
【０００７】
請求項２の発明は、請求項１に記載の家具安定マットにおいて、
前記表面部材は、ポリエステル繊維３０wt％、低融点ポリエステル繊維２０〜４０wt％、防ダニポリエステル繊維１０〜４０wt％、指定外繊維１０〜４０wt％が含まれ、
前記裏面部材は、ポリエステル繊維５０wt％、低融点ポリエステル繊維１０〜３０wt％、防ダニポリエステル繊維２０wt％、防カビ・抗菌低融点ポリプロピレン（ＰＰ）又はポリチレン（ＰＥ）繊維１０〜４０wt％が含まれ、
さらに前記中間部材は、再生ＰＥ樹脂、炭酸カルシウム、カーボン混合物が含まれていることを特徴としている。
【考案の効果】
【０００８】
請求項１の考案によれば、表面部材及び裏面部材をニードルパンチ加工により形成された不織布により構成し、中間部材をＴダイラミネート加工により形成されたポリエチレン樹脂により構成し、裏面部材に表面部材の中途部に達する深さのスリットを形成したので、例えばこのスリットに沿って該マットの室内側部分を折り曲げることが可能となり、該折り曲げた部分を家具の室内側に位置させることで、家具を壁側に傾斜させて配置することができ、家具が地震等の外力により転倒するのを防止できる。
【０００９】
また前記表面部材，裏面部材を不織布により形成したので、室内環境の悪化を抑制できる。具体的には、請求項２の考案のように、表面部材，裏面部材を、調湿効果，消臭効果，抗菌効果の高い各種のポリエステル繊維を所定量混合することにより構成したので、抗菌，防カビ，消臭，調湿等の効果が得られ、また家具の配置によるフローリングの傷防止効果が得られる。
【図面の簡単な説明】
【００１０】
【図１】本考案の実施例１による家具安定マットの断面図である。
【図２】前記家具安定マットの使用状態を示す概略正面図である。
【図３】前記家具安定マットの使用状態を示す概略側面図である。
【考案を実施するための形態】
【００１１】
以下、本考案の実施の形態を添付図面に基づいて説明する。
【実施例１】
【００１２】
図１ないし図３は、本考案の実施例１による家具安定マットを説明するための図である。
【００１３】
図において、１は家具安定マットを示しており、このマット1は、書棚2の底面２ａや棚板３に敷設することにより、地震等の外力により書棚2が室内側に転倒したり、移動したりするのを防止している。
【００１４】
前記家具安定マット１は、表面部材４と裏面部材５との間に中間部材６を配置した３層構造を有する。前記表面部材４及び裏面部材５は、それぞれニードルパンチ加工により形成された不織布により構成されており、前記中間部材６は、Ｔダイラミネート加工により形成されたポリエチレン（ＰＥ）樹脂により構成されている。
【００１５】
前記裏面部材５には、前記中間部材６を通って表面部材４の中途部に達する深さのスリット７が所定間隔をあけて形成されている。このスリット７に沿って該家具安定マット１を折り曲げることが可能となり、ひいては家具を壁Ｗ側に傾斜させて配置することで家具の転倒防止を図ることができる。なお、前記スリット７はマット全面に形成しても良く、あるいは格子状に形成してもよい。
【００１６】
前記ニードルパンチ加工は、短繊維からなる不織布を薄く重ね、これを多数の針で刺し固めて圧縮することによりフェルト状の不織布を形成するものであり、安価でほつれがなく、加工が容易であるとともに、自由にカットできるという利点がある。
【００１７】
前記Ｔダイラミネート加工は、押出機の先端にＴダイと呼ばれる直線状のリップを有する金型を設置し、該リップの隙間からフィルム状の樹脂シートを連続的に押し出して成型するものであり、該樹脂シートの厚さをリップの開口幅を調整することで容易にコントロールすることができ、かつ生産性が高いという利点がある。
【００１８】
前記表面部材４は、重量が１ｍ2あたり４５０ｇで厚さが３．０ｍｍ程度のものからなり、ポリエステル繊維が３０wt％、低融点ポリエステル繊維が３０wt％、防ダニポリエステル繊維が２０wt％、指定外繊維が２０wt％含まれている。
【００１９】
前記裏面部材５は、重量が１ｍ2あたり４５０ｇで厚さが３．０ｍｍ程度のものからなり、ポリエステル繊維が５０wt％、低融点ポリエステル繊維が１０wt％、防ダニポリエステル繊維が２０wt％、防カビ・抗菌低融点ポリプロピレン又はポリチレン繊維が２０wt％含まれている。
【００２０】
また前記中間部材６は、重量が１ｍ2あたり１，９６０ｇで厚さが１．４ｍｍ程度のものからなり、再生ＰＥ樹脂、炭酸カルシウム、カーボンブラック混合物が含まれている。この炭酸カルシウムを添加剤として５０％混合することにより、硬度の高い中間部材６を形成することが可能である。
【００２１】
前記指定外樹脂には、ＴＡＬ社（英国）が製造販売しているポリアクリレート系繊維（商品名オアシス）を採用するのが好ましい。このポリアクリレート系繊維は、低コストで調湿効果、消臭効果、吸汗効果を有している。
【００２２】
前記ポリエステル繊維には、東洋紡（株）が製造し、田村駒（株）が販売している防ダニポリエステル繊維（商品名フィルハーモニー）を採用するのが好ましい。この防ダニポリエステル繊維は、安全性の高い抗菌剤を練り込んでおり、防カビ効果、抗菌効果を有している。
【００２３】
前記防カビ・抗菌低融点ＰＰ／ＰＥ繊維には、宇部エクシモ（宇部興産グループ）が製造販売している芯鞘低融点繊維（商品名ＨＲ−ＩＤ）を採用するのが好ましい。この芯鞘低融点繊維は、安全性の高い銀系抗菌剤を繊維に練り込んでおり、防カビ効果、抗菌効果を有している。
【００２４】
本実施例によれば、家具安定マット１の表面部材４及び裏面部材５をニードルパンチ加工により形成された不織布により構成し、中間部材６をＴダイラミネート加工により形成されたポリエチレン樹脂により構成し、前記裏面部材５に中間部材６を通って表面部材５の中途部に達する深さのスリット７を所定間隔をあけて形成した。そのため例えば図３に示すように、このマット１の室内側部分を、上下に重なるように折り曲げることが可能となり、該折り曲げた部分１ａを書棚２の底壁２ａの室内側の下に位置させることで、書棚２を壁Ｗ側に傾斜させて配置することができ、書棚２が地震等の外力により転倒するのを防止できる。
【００２５】
本実施例では、前記表面部材４，裏面部材５を、調湿効果,消臭効果,抗菌効果の高い各種のポリエステル繊維を所定量混合することにより構成したので、必要な転倒防止機能を確保しつつ、抗菌，防カビ，消臭，調湿等の効果が得られ、また書棚２の配置によりフローリングＦに傷が付くのを防止する効果が得られる。
【符号の説明】
【００２６】
１  家具安定マット
４  表面部材
５  裏面部材
６  中間部材
７  スリット
【図１】
0003195987.tif 000003
【図２】
0003195987.tif 000004
【図３】
0003195987.tif 000005